(57)【要約】【課題】複数のレンズ群のうちの２つのレンズ群を光軸方向に移動させるための単一のモータとリードスクリューと雌ネジ部材とを有するモータユニットと、少なくとも一方のレンズ群は雌ネジ部材に対し遊び量を有して移動するよう構成されたレンズ鏡胴において、雌ネジ部材と離間している状態では停止した状態を確実に保ち、鏡枠の移動の際には小さい駆動力、即ち、低消費電力、小型のモータで移動させることが可能な、低消費電力、小型のレンズ鏡胴を得る。【解決手段】遊び量を有して移動させられるレンズ群を保持する鏡枠の、雌ネジ部材が遊びの領域にあるときの光軸方向の移動に対する負荷を、雌ネジ部材が遊びの領域以外にあるときの光軸方向の移動に対する負荷より大きくしたレンズ鏡胴とする。【選択図】図４
2008076477.tif 000002
【特許請求の範囲】
【請求項１】
複数のレンズ群と、前記複数のレンズ群のうちの２つのレンズ群を光軸方向に移動させるための単一のモータと前記モータの回転に連動して回転させられるリードスクリューと前記リードスクリューに螺合する雌ネジ部材とを有するモータユニットと、を有し、移動させられる２つのレンズ群のうち、少なくとも一方のレンズ群は前記リードスクリューの回転に伴って移動する前記雌ネジ部材に対し遊び量を有して移動するよう構成されたレンズ鏡胴において、
前記遊び量を有して移動させられるレンズ群を保持する鏡枠の、前記雌ネジ部材が遊びの領域にあるときの光軸方向の移動に対する負荷を、前記雌ネジ部材が遊びの領域以外にあるときの光軸方向の移動に対する負荷より大きくしたことを特徴とするレンズ鏡胴。
【請求項２】
前記負荷は、摩擦力であることを特徴とする請求項１に記載のレンズ鏡胴。
【請求項３】
複数のレンズ群と、前記複数のレンズ群のうちの２つのレンズ群を光軸方向に移動させるための単一のモータと前記モータの回転に連動して回転させられるリードスクリューと前記リードスクリューに螺合する雌ネジ部材とを有するモータユニットと、を有し、移動させられる２つのレンズ群のうち、少なくとも一方のレンズ群は前記リードスクリューの回転に伴って移動する前記雌ネジ部材に対し遊び量を有して移動するよう構成されたレンズ鏡胴において、
前記遊び量を有して移動させられるレンズ群を保持する鏡枠に係合すると共に、前記雌ネジ部材が当接することにより前記レンズ群の移動方向に対し直交する方向に回動可能に支持された回動部材を有し、
前記回動部材は、前記雌ネジ部材が当接して回動する方向と逆方向に、付勢部材により付勢され、前記雌ネジ部材が前記回動部材と離間しているときは前記付勢部材の付勢力により前記回動部材の一部が、前記レンズ鏡胴を構成する固定部材に当接していることを特徴とするレンズ鏡胴。
【請求項４】
前記回動部材と前記雌ネジ部材が当接する当接部は、少なくともいずれか一方が傾斜面に形成されていることを特徴とする請求項３に記載のレンズ鏡胴。
【請求項５】
請求項１〜４のいずれか１項に記載のレンズ鏡胴を備えたことを特徴とする撮像装置。
【発明の詳細な説明】
【技術分野】
【０００１】
本発明は、単一の駆動源で２つのレンズ群を移動させるよう構成されたレンズ駆動装置を有したレンズ鏡胴及び該レンズ鏡胴を備えた撮像装置に関するものである。
【背景技術】
【０００２】
従来より、焦点距離可変の撮影レンズ（以下、ズームレンズとも称す）を搭載したカメラが市販されている。ズームレンズは、光学系を構成する複数のレンズ群を光軸に沿って所望の位置に移動させて、その間隔を変化させることにより、焦点距離の変更（ズーミング）を行うようになっている。
【０００３】
複数のレンズ群を光軸に沿って移動させる方式としては大別して２種有り、レンズ枠を直進案内に係合させ、カム筒を回転させることによりレンズ枠を直進移動させるものと、光軸に略平行に軸を配置しこの軸を直進案内のガイド軸とし、レンズ枠にガイド軸が貫通するスリーブを形成し、モータとリードスクリューを用いて直接的にレンズ枠をガイド軸に沿って摺動させ直進移動させるものがある。
【０００４】
後者のリードスクリューを用いて直接的にレンズ枠をガイド軸に沿って移動させるものは、簡単な構造とできるため、沈胴機構を必要としないレンズ鏡胴に多用されており、モータとリードスクリューを用いて直接的にレンズ枠を移動させる駆動装置として、一方のレンズ群を移動させるためのリードスクリューと他方のレンズ群を移動させるためのリードスクリューがあり、一方のリードスクリューから他方のリードスクリューへ、歯車やベルトを用いて動力伝達し、１つのモータで２つのレンズ群を移動させるレンズ駆動装置が知られている（例えば、特許文献１参照）。
【０００５】
また、カム溝を設けた２本の軸を回転方向で遊びを設けて直列に配置し、それぞれの軸のカム溝に係合するレンズ群を駆動することで、単一のモータでズーミングとフォーカシングを行うようにしたレンズ鏡胴が知られている（例えば、特許文献２参照）。
【０００６】
上記特許文献１に記載のレンズ駆動装置は、ズーミングには適用できるがフォーカシングを行うことはできないため、別途フォーカシングのためのモータ等の駆動源を必要とし、レンズ鏡胴に適用した場合には、コスト増に加え、大型化してしまう問題があり、更に、上記特許文献２に記載のレンズ鏡胴の構成では、遊びが軸の１回転以内の量となり、フォーカシングのためのレンズ群の移動量や精度（分解能）を充分に確保することが困難である。
【０００７】
そこで、本願出願人は特願２００５−３５０４１７において、単一のモータと、モータの回転に連動して回転させられるリードスクリューと、を有し、移動させられる２つのレンズ群のうち、一方のレンズ群はリードスクリューの回転に伴って移動し、他方のレンズ群はリードスクリューの回転に対し所定の遊び量を有して移動するよう構成されたレンズ駆動装置を備えたレンズ鏡胴を提案した。
【特許文献１】特開２００１−１２４９７４号公報
【特許文献２】特開平４−３１７０１５号公報
【発明の開示】
【発明が解決しようとする課題】
【０００８】
本願出願人が、特願２００５−３５０４１７で提案したレンズ鏡胴は、単一の駆動源で、小刻みの連続的な焦点距離変更を可能とすると共に充分なフォーカシング移動量及び分解能を確保した、小型、低コストのレンズ駆動装置を備えたレンズ鏡胴が得られるものである。このような構成のレンズ鏡胴においては、遊び量を有して移動させられるレンズ群を保持する鏡枠は、雌ネジ部材と離間している状態では停止させておく必要がある。これに関しては、ガイド軸と鏡枠との間に摩擦力を発生させる機構を用い、この摩擦力により鏡枠を停止させている。
【０００９】
しかしながら、単純にガイド軸と鏡枠との間に摩擦力を働かせる機構では、雌ネジ部材により鏡枠を移動させる際に、摩擦力に抗して移動させなくてはならず、大きな駆動力を有する高トルク、高価格の大型のモータを必要としたり、消費電力の増加を招く問題がある。
【００１０】
本発明は上記問題に鑑み、雌ネジ部材と離間している状態では充分な摩擦力で停止した状態を確実に保ち、雌ネジ部材が当接し移動することによる鏡枠の移動の際には小さい駆動力、即ち、低消費電力、小型のモータで移動させることが可能な、低消費電力、小型のレンズ鏡胴を得ることを目的とするものである。
【課題を解決するための手段】
【００１１】
上記の目的は、下記に記載する発明により達成される。
【００１２】
１．複数のレンズ群と、前記複数のレンズ群のうちの２つのレンズ群を光軸方向に移動させるための単一のモータと前記モータの回転に連動して回転させられるリードスクリューと前記リードスクリューに螺合する雌ネジ部材とを有するモータユニットと、を有し、移動させられる２つのレンズ群のうち、少なくとも一方のレンズ群は前記リードスクリューの回転に伴って移動する前記雌ネジ部材に対し遊び量を有して移動するよう構成されたレンズ鏡胴において、前記遊び量を有して移動させられるレンズ群を保持する鏡枠の、前記雌ネジ部材が遊びの領域にあるときの光軸方向の移動に対する負荷を、前記雌ネジ部材が遊びの領域以外にあるときの光軸方向の移動に対する負荷より大きくしたことを特徴とするレンズ鏡胴。
【００１３】
２．前記負荷は、摩擦力であることを特徴とする１に記載のレンズ鏡胴。
【００１４】
３．複数のレンズ群と、前記複数のレンズ群のうちの２つのレンズ群を光軸方向に移動させるための単一のモータと前記モータの回転に連動して回転させられるリードスクリューと前記リードスクリューに螺合する雌ネジ部材とを有するモータユニットと、を有し、移動させられる２つのレンズ群のうち、少なくとも一方のレンズ群は前記リードスクリューの回転に伴って移動する前記雌ネジ部材に対し遊び量を有して移動するよう構成されたレンズ鏡胴において、前記遊び量を有して移動させられるレンズ群を保持する鏡枠に係合すると共に、前記雌ネジ部材が当接することにより前記レンズ群の移動方向に対し直交する方向に回動可能に支持された回動部材を有し、前記回動部材は、前記雌ネジ部材が当接して回動する方向と逆方向に、付勢部材により付勢され、前記雌ネジ部材が前記回動部材と離間しているときは前記付勢部材の付勢力により前記回動部材の一部が、前記レンズ鏡胴を構成する固定部材に当接していることを特徴とするレンズ鏡胴。
【００１５】
４．前記回動部材と前記雌ネジ部材が当接する当接部は、少なくともいずれか一方が傾斜面に形成されていることを特徴とする３に記載のレンズ鏡胴。
【００１６】
５．１〜４のいずれかに記載のレンズ鏡胴を備えたことを特徴とする撮像装置。
【発明の効果】
【００１７】
本発明によれば、鏡枠が雌ネジ部材と離間した状態では充分な摩擦力による確実な停止状態を確保でき、鏡枠を移動させる際には小さい駆動力、即ち、低消費電力、小型のモータで移動させることができる低消費電力、小型のレンズ鏡胴を得ることが可能となる。
【発明を実施するための最良の形態】
【００１８】
以下、実施の形態により本発明を詳しく説明するが、本発明はこれに限定されるものではない。
【００１９】
図１は、本実施の形態に係るレンズ鏡胴を備えた撮像装置の一例であるカメラ１００の主要構成ユニットの内部配置の一例を示す図である。同図は、カメラ１００を被写体側から見た斜視図である。
【００２０】
同図に示すように、カメラ１００は、変倍可能な折り曲げ撮像光学系を内包した本発明に係るレンズ鏡胴５０が図示の如く右側に縦に配置され、開口部５１が被写体光束を取り込むよう配置されている。この開口部５１には、開口部５１を露呈する開状態と開口部５１を覆う閉状態とする不図示のレンズバリアが設けられている。
【００２１】
５２はフラッシュ発光窓であり、５３はフラッシュ発光窓の後方に配置された反射傘、キセノン管、その他メインコンデンサ、回路基板等で構成されるフラッシュユニットである。５４はカード型の画像記録用メモリである。５５は電池であり、本カメラの各部へ電源を供給する。画像記録用メモリ５４及び電池５５は、不図示の蓋部から挿脱が可能となっている。
【００２２】
本カメラの上面には、レリーズ釦５６が配置され、その１段の押し込みによりカメラの撮影準備動作、即ち焦点合わせ動作や測光動作が行われ、その２段の押し込みにより撮影露光動作が行われる。５７はメインスイッチであり、カメラを動作状態と非動作状態に切り替えるスイッチである。メインスイッチ５７により動作状態に切り替えられると、不図示のレンズバリアは、開状態にされると共に、各部の動作が開始される。また、メインスイッチ５７により非動作状態に切り替えられると、不図示のレンズバリアは、閉状態にされると共に、各部の動作を終了させる。
【００２３】
本カメラの背面には、ＬＣＤ或いは有機ＥＬ等で構成され、画像やその他文字情報等を表示する画像表示部５８が配置されている。また、図示していないが、ズームアップ、ズームダウンをおこなうズーム釦、撮影した画像を再生する再生釦、画像表示部５８上に各種のメニューを表示させるメニュー釦、表示から所望の機能を選択する選択釦等の操作部材が配置されている。
【００２４】
また、不図示であるが、これら主要構成ユニットの間には、各部を接続すると共に、各種電子部品が搭載された回路基板が配置され、各主要構成ユニットの駆動及び制御を行うようになっている。同様に、不図示であるが、外部入出力端子、ストラップ取り付け部、三脚座等を備えている。
【００２５】
図２は、本実施の形態に係るレンズ鏡胴５０に内包された変倍可能な折り曲げ撮像光学系を示す断面図である。同図は、折り曲げ前及び折り曲げ後の２つの光軸を含む面で切断した断面図である。
【００２６】
同図に示すように、ＯＡは折り曲げ前の光軸であり、ＯＢは折り曲げ後の光軸である。１は第１レンズ群であり、第１レンズ群１は、光軸をＯＡとし被写体に向けて配置されたレンズ１１と光軸ＯＡを略直角方向に折り曲げる反射部材であるプリズム１２と、プリズム１２により折り曲げられた光軸ＯＢを光軸として配置されたレンズ１３により構成されている。この第１レンズ群１は、主胴９に固定されたレンズ群である。
【００２７】
２は第２レンズ群であり、第２レンズ群鏡枠２ｋに組み込まれている。第２レンズ群は、変倍（以下、ズーミングとも言う）時に第２レンズ群鏡枠２ｋと共に、一体的に移動するレンズ群である。
【００２８】
３は第３レンズ群であり、主胴９に固定されている。この第３レンズ群３は、移動しないレンズ群である。
【００２９】
４は第４レンズ群であり、第４レンズ群鏡枠４ｋに組み込まれている。第４レンズ群は、変倍時に第４レンズ群鏡枠４ｋと共に、一体的に移動すると共に、単独で移動して焦点調節（以下、フォーカシングとも言う）をも行うレンズ群である。
【００３０】
５は第５レンズ群であり、主胴９に固定されている。この第５レンズ群５は、移動しないレンズ群である。
【００３１】
７は赤外光カットフィルタ及びオプチカルローパスフィルタを積層した光学フィルタであり、主胴９に組み付けられている。８は撮像素子であり、ＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が用いられる。撮像素子８は主胴９に組み付けられている。ＦＰＣはフレキシブルプリント基板であり、撮像素子８に接続され、カメラ内の他の回路へ接続される。Ｓは絞りシャッタユニットであり、主胴９に固定されている。なお、１０は主胴９に組み付けられた蓋部材である。
【００３２】
図３は、本実施の形態に係るレンズ鏡胴５０の主胴９内部の概略構造を示す平面図である。同図は、図２に示すレンズ鏡胴５０から蓋部材１０を外し、説明を簡略にするためモータ等をレンズ鏡胴の外側に配置して模式的に示したものである。
【００３３】
同図に示すようにレンズ鏡胴５０の内部には、第２レンズ群鏡枠２ｋに一体的に形成されたコの字状部２ｎ、第４レンズ群鏡枠４ｋに一体的に形成されたスリーブ４ｓを貫通して、ガイド軸１５が設けられている。更に、第２レンズ群鏡枠２ｋに一体的に形成された回転係止部２ｍ、第４レンズ群鏡枠４ｋに一体的に形成された回転係止部４ｍに、ガイド軸１６が貫通して設けられている。これにより、第２レンズ群鏡枠２ｋ、第４レンズ群鏡枠４ｋは、ガイド軸１５、１６に沿って光軸ＯＢ方向に摺動可能とされている。なお、コの字状部２ｎ及びスリーブ４ｓはそれぞれガイド軸と嵌合しており、ガイド軸１５、１６は光軸ＯＢと略平行に配置され、その両端で主胴９に例えば接着等で固定されている。
【００３４】
ステッピングモータ２０（以下、モータとも称す）には、回転軸の延長線上に雄ネジ部材であるリードスクリュー２０ｒが配置され支持部材２５により支持されている。このリードスクリュー２０ｒには、１本の軸にピッチとネジの進み方向が異なる第１のネジ溝２０ｒ1、第２のネジ溝２０ｒ2が形成されている。この第１、第２のネジ溝２０ｒ1、２０ｒ2を有したリードスクリュー２０ｒは、それぞれ個別に製作し接合して一体化したものでもよいし、一体の軸を加工したものでもよい。
【００３５】
第２レンズ群鏡枠２ｋに形成されたコの字状部２ｎの内側には、回動部材１７が配置されている。回動部材１７は、ガイド軸１５の軸方向ではコの字状部２ｎと嵌合し、ガイド軸１５の軸周りにも嵌合し回動できるようになっている。
【００３６】
更に、コの字状部２ｎの内側には、第１のネジ溝２０ｒ1と螺合しリードスクリューの回転により光軸ＯＢ方向に移動させられる雌ネジ部材２３が所定の遊び量を有して、係合するように配置されている。
【００３７】
図示の状態から、リードスクリュー２０ｒを回転即ち第１のネジ溝２０ｒ1回転させ、雌ネジ部２３を光軸ＯＢ方向に移動させると、まず回動部材１７に形成された腕部１７ｋに当接し、回動部材１７をガイド軸１５の軸周りに回動させたのち、コの字状部２ｎを押すことにより第２レンズ群鏡枠２ｋ即ち第２レンズ群２を移動させるようになっている。
【００３８】
この雌ネジ部材２３、回動部材１７、第２レンズ群鏡枠２に形成されたコの字状部２ｎについては以降の図４〜図５で詳細に説明する。
【００３９】
スリーブ４ｓには、リードスクリューと螺合し、リードスクリューの回転によりガイド軸１５に沿って、光軸ＯＢ方向に移動させられる雌ネジ部材２４が、係合している。雌ネジ部材２４は、リードスクリュー２０ｒの第２のネジ溝２０ｒ2と螺合し、係合する第４レンズ群鏡枠４ｋを光軸ＯＢ方向に移動させる。
【００４０】
これにより、第２レンズ群２と第４レンズ群４は、第１モータ２０の所定の方向の回転により、異なる移動量で第３レンズ群３に双方から接近し、第１モータ２０の逆方向の回転により、異なる移動量で共に第３レンズ群３から離間するように移動する。
【００４１】
３２は、フォトインタラプタである。フォトインタラプタ３２は、第２レンズ群鏡枠２ｋに形成された遮蔽部の有無の切り替わり位置を検出することにより第２レンズ群鏡枠２ｋの位置決めのための初期位置を検出するものである。
【００４２】
この初期位置を基準にして第１モータ２０の回転方向及び回転量を制御し、各レンズ群の位置制御が行われるようになっている。なお、レンズ群鏡枠の初期位置検出は、フォトリフレクタであってもよい。
【００４３】
即ち、従来は各レンズ群鏡枠に対しそれぞれ初期位置検出手段を必要としたが、本実施の形態ではレンズ群鏡枠の初期位置検出は１個あればよく、これにより省スペース及び低コスト化が可能となる。なお、この検出手段は第２レンズ群鏡枠２ｋ又は第４レンズ群鏡枠４ｋのいずれか一方の位置を検出するものであればよいが、リードスクリューの回転に対し所定の遊び量を有して移動する第２レンズ群鏡枠２ｋの位置検出をおこなうように構成することが望ましい。これにより、ズーミング時の焦点距離を、より正確に知ることができる。
【００４４】
図４は、第２レンズ群鏡枠２に形成されたコの字状部２ｎ、回動部材１７、雌ネジ部材２３の相互の関係を示す図である。同図は、図３と同様に雌ネジ部材２３が回動部材１７及びコの字状部２ｎから離間した時の状態を示している。同図（ａ）は平面図であり、同図（ｂ）はガイド軸の軸方向から見た図であり、同図（ｃ）は支持部材２５を外し、支持部材２５側から見た図である。
【００４５】
同図に示すように、第２レンズ群鏡枠に形成されたコの字状部２ｎの内側には、回動部材１７が配置されている。回動部材１７は、ガイド軸１５の軸方向ではコの字状部２ｎと嵌合し、ガイド軸１５の軸周りにも嵌合し回動可能となっている。回動部材１７は、その両側に腕部１７ｋが一体的に形成され、接触部１７ｍが一方の腕部１７ｋに一体的に形成されている。更に、回動部材１７は、付勢部材であるコイルバネ１８が組み付けられ、接触部１７ｍが主胴９に接触する方向に付勢されている。
【００４６】
即ち、雌ネジ部材２３が回動部材１７及びコの字状部２ｎから離間した状態では、回動部材１７はコイルバネ１８により同図（ｂ）に示す矢印Ａ方向（反時計回り方向）に回動し、接触部１７ｍが主胴９に押圧接触され、その摩擦力により停止した状態となる。これにより、回動部材１７と軸方向で嵌合するコの字状部２ｎ、即ち第２レンズ群鏡枠２ｋは停止した状態を保つことができるようになっている。なお本例では、接触部１７ｍを主胴９に押圧接触させた例で説明したが、これに限るものでなく、レンズ鏡胴を構成する部材のうち移動せず固定の部材であればよい。
【００４７】
この状態から、リードスクリュー２０ｒ、即ち第１のネジ溝２０ｒ1を回転させると、支持部材２５により回転係止されている雌ネジ部材２３は、第１のネジ溝２０ｒ1に沿って移動する。例えば、雌ネジ部材２３を同図（ｃ）における矢印Ｂ方向に移動させた場合を説明する。
【００４８】
雌ネジ部材２３が矢印Ｂ方向に移動すると、まず、回動部材１７の腕部１７ｋに形成された傾斜部１７ｎに当接する。更に、雌ネジ部材２３を同方向に移動させると、傾斜部１７ｎにより回動部材１７は、コイルバネ１８の付勢力に抗して図示矢印Ａと逆方向に回動し、コの字状部２ｎの内側の面を押圧する状態となる。
【００４９】
図５は、第２レンズ群鏡枠２に形成されたコの字状部２ｎ、回動部材１７、雌ネジ部材２３の相互の関係を示す図である。同図は、雌ネジ部材２３がコの字状部２ｎの内側の面を押圧するようになった状態を示している。
【００５０】
同図（ｂ）に示すように、雌ネジ部材２３により回動部材１７は、コイルバネ１８の付勢力に抗して時計回り方向に回動し、接触部１７ｍが主胴９から離間する。更に第１のネジ溝２０ｒ1を同方向に回転させ、雌ネジ部材２３を移動させると、回動部材１７及びコの字状部２ｎ即ち第２レンズ群鏡枠２ｋはガイド軸１５に沿って移動することになる。
【００５１】
また、第１のネジ溝２０ｒ1を逆方向に回転させた場合も同様に、雌ネジ部材２３が他方の腕部１７ｋに形成された傾斜部１７ｎに当接し、他方の傾斜部１７ｎにより回動部材１７は、コイルバネ１８の付勢力に抗して時計回り方向に回動し、接触部１７ｍが主胴９から離間する。
【００５２】
即ち、雌ネジ部材２３が回動部材１７及びコの字状部２ｎと離間しているときは、接触部１７ｍが主胴９に押圧接触された摩擦力により停止し、雌ネジ部材２３が移動し回動部材１７に当接すると回動部材１７をガイド軸１５周りに回動させて接触部１７ｍを主胴９から離間させて、第２レンズ群鏡枠２ｋを移動させるようになっている。
【００５３】
以上のようにすることで、第２レンズ群鏡枠２ｋの停止時には主胴９との充分な摩擦力で確実に停止し、移動時には摩擦力のない状態で移動させることができるため、移動のための負荷を低減することが可能となり、小さい駆動力、即ち、低消費電力、小型のモータで移動させることが可能な、低消費電力、小型のレンズ鏡胴を得ることが可能となる。
【００５４】
なお、上記の実施の形態においては、回動部材１７の腕部１７ｋに傾斜部１７ｎを形成した例で説明したが、雌ネジ部材２３と腕部１７ｋの当接部の少なくともいずれか一方に傾斜部を形成することで、同様に回動部材１７を回動させることができる。
【００５５】
また、反射面を有する屈曲光学系を内包するレンズ鏡胴を例に取り説明したが、通常の反射面のない光学系を内包したレンズ鏡胴にも適用可能である。また、光学系についても少なくとも２つのレンズ群を有し、この２つのレンズ群を移動させるよう構成されたものに適用可能であるのは言うまでもない。
【図面の簡単な説明】
【００５６】
【図１】本実施の形態に係るレンズ鏡胴を備えた撮像装置の一例であるカメラの主要構成ユニットの内部配置の一例を示す図である。
【図２】本実施の形態に係るレンズ鏡胴に内包された変倍可能な折り曲げ撮像光学系を示す断面図である。
【図３】本実施の形態に係るレンズ鏡胴の主胴内部の概略構造を示す平面図である。
【図４】第２レンズ群鏡枠に形成されたコの字状部、回動部材、雌ネジ部材の相互の関係を示す図である。
【図５】第２レンズ群鏡枠に形成されたコの字状部、回動部材、雌ネジ部材の相互の関係を示す図である。
【符号の説明】
【００５７】
１  第１レンズ群
２  第２レンズ群
２ｋ  第２レンズ群鏡枠
３  第３レンズ群
４  第４レンズ群
４ｋ  第４レンズ群鏡枠
５  第５レンズ群
７  光学フィルタ
８  撮像素子
９  主胴
１５、１６  ガイド軸
１７  回動部材
１８  コイルバネ
２０  ステッピングモータ
２０ｒ  リードスクリュー
２３、２４  雌ネジ部材
５０  レンズ鏡胴
１００  カメラ
【図１】
2008076477.tif 000003
【図２】
2008076477.tif 000004
【図３】
2008076477.tif 000005
【図４】
2008076477.tif 000006
【図５】
2008076477.tif 000007